(57)【特許請求の範囲】
【請求項１】
送信側では、送信データを符号化したシンボルを複数に区切って並列化し、並列化したシンボルデータを周波数軸上に並べて逆高速フーリエ変換を施すことにより、データをＮ個のサブキャリアに分散して送信し、受信側では、受信信号に高速フーリエ変換を施して周波数軸上に並ぶシンボルデータを復調し、並列化している前記シンボルデータを直列化してデータを復号するＯＦＤＭ伝送方法において、
送信側が、送信データの連続する複数個のシンボルと同期シンボルとでフレームを構成し、前記フレームを受信側に送信するときに、前記フレームごとにインタリーブの方法を定め、受信側に既知のサブキャリアを使って前記フレームの次のフレームでのインタリーブの方法を示すテーブルの選択情報を送信し、
受信側では、受信した前記テーブルの選択情報を保持して、次に受信するフレームでのデインタリーブに用いることを特徴とするＯＦＤＭ伝送方法。
【請求項２】
送信側及び受信側で、前記インタリーブまたはデインタリーブの方法を示すテーブルが書き換え可能な状態で記憶され、送信側及び受信側で、対応するテーブルが記憶されているときのみ、データ伝送が可能となることを特徴とする請求項１に記載のＯＦＤＭ伝送方法。
【請求項３】
前記テーブルで、全サブキャリアの内の一部のサブキャリアに対してインタリーブが行なわれるように規定されていることを特徴とする請求項２に記載のＯＦＤＭ伝送方法。
【請求項４】
送信データを符号化する符号化手段と、符号化されたシンボルを複数に区切って並列化する直列並列変換手段と、並列化されて周波数軸上に並ぶシンボルデータに逆高速フーリエ変換を施す逆高速フーリエ変換手段とを具備し、データをＮ個のサブキャリアに分散して送信するＯＦＤＭ送信手段と、受信信号に高速フーリエ変換を施して周波数軸上に並ぶシンボルデータを復調する高速フーリエ変換手段と、並列化された前記シンボルデータを直列化する並列直列変換手段と、データを復号する復号手段とを具備するＯＦＤＭ受信手段とから成るＯＦＤＭ伝送装置において、
前記ＯＦＤＭ送信手段が、送信データの連続する複数個のシンボルと同期シンボルとでフレームを構成し、前記フレームを受信側に送信するときに、前記フレームごとにインタリーブの方法を定め、受信側に既知のサブキャリアを使って前記フレームの次のフレームでのインタリーブの方法を示すテーブル選択データを送信し、
前記ＯＦＤＭ受信手段が、同期シンボルの受信を判別する同期信号判別手段と、前記同期信号判別手段からの判別情報に基づいて前記既知のサブキャリアの情報を分離する選択情報分離手段と、分離された前記情報から前記テーブル選択データを復調する選択情報復調手段と、復調した前記テーブル選択データを保持するテーブル選択情報記憶手段と、前記テーブル選択情報記憶手段が保持したテーブル選択データに基づいてテーブルを選択するテーブル選択手段とを具備し、前記テーブル選択手段が選択したテーブルに基づいて次に受信したフレームでのデインタリーブを行なうことを特徴とするＯＦＤＭ伝送装置。
【請求項５】
前記ＯＦＤＭ送信手段が、インタリーブの方法を示すテーブルを記憶するインタリーブテーブル記憶手段と、前記インタリーブテーブル記憶手段に記憶されたテーブルを書き換える書き込み手段とを具備し、前記ＯＦＤＭ受信手段が、デインタリーブの方法を示すテーブルを記憶するデインタリーブテーブル記憶手段と、前記デインタリーブテーブル記憶手段に記憶されたテーブルを書き換える書き込み手段とを具備し、前記ＯＦＤＭ送信手段の前記インタリーブテーブル記憶手段に記憶されたテーブルと前記ＯＦＤＭ受信手段の前記デインタリーブテーブル記憶手段に記憶されたテーブルとが対応関係にある場合のみ、前記ＯＦＤＭ送信手段と前記ＯＦＤＭ受信手段との間のデータ伝送が可能になることを特徴とする請求項４に記載のＯＦＤＭ伝送装置。
【発明の詳細な説明】
【０００１】
【発明の属する技術分野】
本発明は、デジタル地上ＴＶ放送や移動体向けデジタル音声放送などに用いられるＯＦＤＭ（Ｏｒｔｈｇｏｎａｌ  Ｆｒｅｑｕｅｎｃｙ  Ｄｉｖｉｓｉｏｎ  Ｍｕｌｔｉｐｌｅｘ）方式のデジタル通信を行なう伝送装置と、その伝送方法に関し、特に、フェージングによる伝送誤りを防ぎ、また、特定の受信機へのデータ伝送を可能にするものである。
【０００２】
【従来の技術】
従来、ＯＦＤＭ伝送方法については、特開平７−７９４１５号に記載されたものが知られている。ＯＦＤＭでは、データを互いに直交する多数の搬送波（サブキャリア）に分散して伝送する。伝送されるデータは、位相変調（ＰＳＫ）や直交振幅変調（ＱＡＭ）などの方式のシンボルに変換され、このシンボルのＩ軸成分を複素数の実数部、Ｑ軸成分を複素数の虚数部として逆高速フーリニ変換（ＩＦＦＴ）が行なわれ、ベースバンドの信号が生成される。
【０００３】
図７に従来のＯＦＤＭ伝送装置の構成を示している。ＯＦＤＭ送信手段は、データをＰＳＫやＱＡＭのシンボル（符号点）に変換するシンボル符号化器１と、変換されたシンボルをＯＦＤＭのサブキャリア数（Ｎ）の並列シンボルデータに変換する直列並列変換器２と、並列変換された各シンボルデータのＩ軸成分を複素数の実数部、Ｑ軸成分を複素数の虚数部と見なしてＩＦＦＴ演算を行ないＯＦＤＭ変調波を多重して出力するＩＦＦＴ演算器３と、Ｉ、Ｑ成分のデジタルデータをアナログ信号に変換するＤ／Ａ変換器４、５と、Ｄ／Ａ変換器４、５の出力の帯域を制限する低域通過フィルタ（ＬＰＦ）６、７と、ＬＰＦ６、７の出力を局部発振信号で直交変調する直交変調器８と、直交変調器８の出力の帯域を制限する帯域通過フィルタ（ＢＰＦ）９と、全体の回路の同期をとるためのタイミング信号を生成する送信タイミング信号生成器１８とで構成されている。
【０００４】
一方、ＯＦＤＭ受信手段は、伝送路１０を通じて受信した受信信号の帯域を制限するＢＰＦ１１と、局部発振信号を用いて受信信号の直交変調を復調する直交復調器１２と、直交復調器１２から出力されるＩ、Ｑ成分をデジタル信号に変換するＡ／Ｄ変換器１３、１４と、Ａ／Ｄ変換器１３、１４から出力されたデジタル信号を並列に変換した後、高速フーリエ変換（ＦＦＴ）を行なってＯＦＤＭ変調波を復調するＦＦＴ演算器１５と、ＯＦＤＭ復調されたシンボルデータを直列に変換する並列直列変換器１６と、シンボルからデータを復号するシンボル復調器１７と、全体の回路の同期をとるためのタイミング信号を生成する受信タイミング信号生成器１９とで構成されている。
【０００５】
この装置において、クロック信号が送信タイミング信号生成器１８に入力し、送信タイミング生成器１８で生成されたタイミング信号が各送信回路に供給される。同様に、クロック信号が受信タイミング信号生成器１９に入力し、受信タイミング生成器１９で生成されたタイミング信号が各受信回路に供給される。
【０００６】
送信されるデータは、シンボル符号化器１によりＰＳＫ、ＱＡＭ等の符号点に変換され、Ｉ軸、Ｑ軸双方のシンボルデータが生成される。１つのシンボルに関するデータは、直列並列変換器２で区切られて、ＯＦＤＭのサブキャリア数（Ｎ）の並列シンボルデータに変換される。ここではｎ番目（１≦ｎ≦Ｎ）の周波数ｆｎのサブキャリアで送信される並列シンボルデータのＩ軸成分をａｎ、Ｑ軸成分をｂｎとしている。
【０００７】
ＩＦＦＴ演算器３は、Ｉ軸成分を複素数の実部、Ｑ軸成分を複素数の虚部とみなして、Ｎ個の複素データのＩＦＦＴを行ない、Ｎ個のサブキャリアをＯＦＤＭ変調する。ＩＦＦＴ演算器３の出力はＮ個のサブキャリアの変調波を多重したものとなる。ＩＦＦＴ演算器３の出力は、Ｉ軸成分、Ｑ軸成分の出力が各々、Ｄ／Ａ変換器４、５でＤ／Ａ変換され、ＬＰＦ６、７で帯域が制限される。ＬＰＦの出力は直交変調器８に送られ、直交変調される。
【０００８】
直交変調器８の出力は、ＢＰＦ９で帯域が制限され、伝送路１０を伝わりＯＦＤＭ受信手段へ送られる。
【０００９】
ＯＦＤＭ受信手段で受信された信号は、ＢＰＦ１１を通り直交復調器１２に入力して、直交検波される。直交復調器１２の出力のＩ、Ｑ成分は、それぞれＡ／Ｄ変換器１３、１４でＡ／Ｄ変換され、ＦＦＴ演算器１５によりＦＦＴが行なわれ、周波数ｆｎのサブキャリアで送信されたシンボルデータがＩ軸成分ａｎ、Ｑ軸成分ｂｎ（１≦ｎ≦Ｎ）とするＮ個の並列シンボルデータに分離される。並列シンボルデータは並列直列変換器１６で直列化され、シンボル復調器１７で逐次復調され、受信データとなる。
【００１０】
このようにＯＦＤＭ伝送では、１つのシンボルがＮ個のサブキャリアに分散して送られるため、１つのシンボルの送信継続時間が単一キャリア方式の約Ｎ倍になる。そのため、マルチパスが加わっても伝送特性の劣化が少ないという利点がある。
【００１１】
また、ＯＦＤＭでは、複数個の連続するシンボルでフレームを構成し、フレーム単位でデータ伝送を行なう場合がある。この場合、フレームの同期を取るために、有効シンボルよりも送信電力を小さくしたシンボルをフレームに付し、これを同期シンボルとして用いている。
【００１２】
【発明が解決しようとする課題】
しかし、従来のＯＦＤＭ送信装置では、シンボル符号化器で符号化されたシンボルが、直列並列変換器でＮ個の並列シンボルデータに変換され、周波数軸上に並べられてＩＦＦＴが行なわれるため、周波数軸上で周期性を持つフェージングが伝送路に発生している場合には、受信側では、特定のサブキャリアで送信されるシンボルデータが復調できなくなり、そのサブキャリアでのシンボルデータが届く筈の時間周期でデータ欠損が生じることになる。
【００１３】
また、従来のＯＦＤＭ送信装置では、送信するシンボルを、直列並列変換器でＮ個の並列シンボルデータに変換し、これを周波数軸上に順番に並べてＩＦＦＴを行なっているため、どのＯＦＤＭ受信手段でも、符号化の方法が分かれば、受信するシンボルデータを復号してデータの内容を把握することができる。従って、特定のＯＦＤＭ受信手段にのみデータを送信することができないことになる。
【００１４】
本発明は、こうした従来の問題点を解決するものであり、伝送路に周波数軸上で周期性のあるフェージングが発生している場合でも、時間軸上の周期的な誤りを起こさずに受信することができ、また、特定の受信機にのみデータを送ることができるＯＦＤＭ伝送方法を提供し、また、その方法を実施するＯＦＤＭ伝送装置を提供することを目的としている。
【００１５】
【課題を解決するための手段】
そこで、本発明では、送信側で、逆高速フーリエ変換を行なうために周波数軸上に並べたシンボルデータを対象として、インタリーブを行ない、受信側で、高速フーリエ変換での復調によって得られた周波数軸上に並ぶシンボルデータを対象として、デインタリーブを行なっている。
【００１６】
そのため、伝送路に周波数軸上の周期的なフェージングが発生しているときでも、インタリーブの方法を適宜切り替えることにより、時間軸上の周期的な送信データの欠損を防ぐことができる。
【００１７】
また、本発明では、送信側及び受信側で、このインタリーブまたはデインタリーブの方法を示すテーブルを書き換え可能な状態で記憶させている。
【００１８】
そのため、送信側及び受信側で、対応するテーブルが記憶されている場合のみ、データ伝送が可能となり、送信側と特定の受信機との間だけでデータ伝送を行なうことが可能となる。
【００１９】
【発明の実施の形態】
本発明の請求項１に記載の発明は、送信側では、送信データを符号化したシンボルを複数に区切って並列化し、並列化したシンボルデータを周波数軸上に並べて逆高速フーリエ変換を施すことにより、データをＮ個のサブキャリアに分散して送信し、受信側では、受信信号に高速フーリエ変換を施して周波数軸上に並ぶシンボルデータを復調し、並列化しているシンボルデータを直列化してデータを復号するＯＦＤＭ伝送方法において、送信側が、送信データの連続する複数個のシンボルと同期シンボルとでフレームを構成し、前記フレームを受信側に送信するときに、前記フレームごとにインタリーブの方法を定め、受信側に既知のサブキャリアを使って前記フレームの次のフレームでのインタリーブの方法を示すテーブルの選択情報を送信し、受信側では、受信した前記テーブルの選択情報を保持して、次に受信するフレームでのデインタリーブに用いるようにしたものであり、フレームごとにインタリーブの方法を切り替えることができる。
【００２５】
請求項２に記載の発明は、送信側及び受信側で、インタリーブまたはデインタリーブの方法を示すテーブルが書き換え可能な状態で記憶され、送信側及び受信側で、対応するテーブルが記憶されているときのみ、データ伝送が可能となるようにしたものであり、送信側と特定の受信機との間だけでデータを伝送することが可能となる。
【００２６】
請求項３に記載の発明は、このテーブルで、全サブキャリアの内の一部のサブキャリアに対してインタリーブが行なわれるように規定するようにしたものであり、送信シンボルの一部のデータ伝送が特定の受信機に対してのみ可能となる。
【００２７】
請求項４に記載の発明は、送信データを符号化する符号化手段と、符号化されたシンボルを複数に区切って並列化する直列並列変換手段と、並列化されて周波数軸上に並ぶシンボルデータに逆高速フーリエ変換を施す逆高速フーリエ変換手段とを具備し、データをＮ個のサブキャリアに分散して送信するＯＦＤＭ送信手段と、受信信号に高速フーリエ変換を施して周波数軸上に並ぶシンボルデータを復調する高速フーリエ変換手段と、並列化されたシンボルデータを直列化する並列直列変換手段と、データを復号する復号手段とを具備するＯＦＤＭ受信手段とから成るＯＦＤＭ伝送装置において、前記ＯＦＤＭ送信手段が、送信データの連続する複数個のシンボルと同期シンボルとでフレームを構成し、前記フレームを受信側に送信するときに、前記フレームごとにインタリーブの方法を定め、受信側に既知のサブキャリアを使って前記フレームの次のフレームでのインタリーブの方法を示すテーブル選択データを送信し、前記ＯＦＤＭ受信手段が、同期シンボルの受信を判別する同期信号判別手段と、前記同期信号判別手段からの判別情報に基づいて前記既知のサブキャリアの情報を分離する選択情報分離手段と、分離された前記情報から前記テーブル選択データを復調する選択情報復調手段と、復調した前記テーブル選択データを保持するテーブル選択情報記憶手段と、前記テーブル選択情報記憶手段が保持したテーブル選択データに基づいてテーブルを選択するテーブル選択手段とを具備し、前記テーブル選択手段が選択したテーブルに基づいて次に受信したフレームでのデインタリーブを行なうようにしたものであり、フレームごとにインタリーブの方法を切り替えることができる。
【００３１】
請求項５に記載の発明は、ＯＦＤＭ送信手段に、インタリーブの方法を示すテーブルを記憶するインタリーブテーブル記憶手段と、インタリーブテーブル記憶手段に記憶されたテーブルを書き換える書き込み手段とを設け、ＯＦＤＭ受信手段に、デインタリーブの方法を示すテーブルを記憶するデインタリーブテーブル記憶手段と、デインタリーブテーブル記憶手段に記憶されたテーブルを書き換える書き込み手段とを設け、ＯＦＤＭ送信手段のインタリーブテーブル記憶手段に記憶されたテーブルとＯＦＤＭ受信手段のデインタリーブテーブル記憶手段に記憶されたテーブルとが対応関係にある場合のみ、ＯＦＤＭ送信手段とＯＦＤＭ受信手段との間のデータ伝送が可能になるようにしたものであり、特定の受信機だけにデータ伝送することが可能となる。
【００３２】
以下、本発明の実施の形態について、図面を用いて説明する。
【００３３】
（第１の実施形態）
第１の実施形態のＯＦＤＭ伝送装置は、図１に示すように、ＯＦＤＭ送信手段は、データをＰＳＫやＱＡＭのシンボルに変換するシンボル符号化器１と、変換されたシンボルをＯＦＤＭのサブキャリア数（Ｎ）の並列シンボルデータに変換する直列並列変換器２と、直列並列変換された並列シンボルデータを並び替えるインタリーバ２０と、インタリーバ２０から並列的に出力された各シンボルデータのＩ軸成分を複素数の実数部、Ｑ軸成分を複素数の虚数部と見なしてＩＦＦＴ演算を行ない、ＯＦＤＭ変調波を多重して出力するＩＦＦＴ演算器３と、Ｉ、Ｑ成分のデジタルデータをアナログ信号に変換するＤ／Ａ変換器４、５と、Ｄ／Ａ変換器４、５の出力の帯域を制限するＬＰＦ６、７と、ＬＰＦ６、７の出力を局部発振信号で直交変調する直交変調器８と、直交変調器８の出力の帯域を制限するＢＰＦ９と、タイミング信号を生成する送信タイミング信号生成器１８とを備え、また、インタリーバ２０の動作を規定する構成として、インタリーバ２０でのインタリーブの方法が記述された複数のインタリーブテーブル２２と、複数のインタリーブテーブル２２の内の１つを選択するテーブル選択器２４とを備えている。
【００３４】
一方、ＯＦＤＭ受信手段は、伝送路１０を通じて受信した受信信号の帯域を制限するＢＰＦ１１と、局部発振信号を用いて受信信号の直交変調を復調する直交復調器１２と、直交復調器１２から出力されるＩ、Ｑ成分をデジタル信号に変換するＡ／Ｄ変換器１３、１４と、Ａ／Ｄ変換器１３、１４から出力されたデジタル信号を並列に変換した後、高速フーリエ変換（ＦＦＴ）を行なってＯＦＤＭ変調波を復調するＦＦＴ演算器１５と、復調された並列シンボルデータを並び替えるデインタリーバ２１と、デインタリーバ２１から出力された並列シンボルデータを直列に変換する並列直列変換器１６と、シンボルからデータを復号するシンボル復調器１７と、全体の回路の同期をとるためのタイミング信号を生成する受信タイミング信号生成器１９とを備え、また、デインタリーバ２１の動作を規定する構成として、デインタリーバ２１でのインタリーブの方法が記述された複数のデインタリーブテーブル２３と、複数のデインタリーブテーブル２３の内の１つを選択するテーブル選択器２５とを備えている。
【００３５】
この装置は、従来のＯＦＤＭ伝送装置（図７）と比べて、ＯＦＤＭ送信手段では、インタリーバ２０、インタリーブテーブル２２及びテーブル選択器２４が加わり、ＯＦＤＭ受信手段では、デインタリーバ２１、デインタリーブテーブル２３及びテーブル選択器２５が加わった点が相違している。
【００３６】
ＯＦＤＭ送信手段に入力した送信データは、シンボル符号化器１でＰＳＫ、ＱＡＭ等の符号点に変換され、Ｉ軸、Ｑ軸双方のシンボルデータが生成される。このシンボルデータは、直列並列変換器２により、ＯＦＤＭのサブキャリア数（Ｎ）の並列シンボルデータに変換される。ここではｎ番目（１≦ｎ≦Ｎ）の周波数ｆｎのサブキャリアで送信される並列シンボルデータのＩ軸成分をａｎ、Ｑ軸成分をｂｎとしている。
【００３７】
インタリーバ２０は、直列並列変換器２から出力された並列シンボルデータのｎ番目（１≦ｎ≦Ｎ）をｎｃ番目（１≦ｎｃ≦Ｎ）に並び替える。ここでは、ｎｃ番目の並列シンボルデータのＩ軸成分をａ’ｎｃ、Ｑ軸成分をｂ’ｎｃで表しているが、ａ’ｎｃ＝ａｃ、ｂ’ｎｃ＝ｂｃである。このｎｃはｎと必ずしも一致しない。この並び替えは、テーブル選択器２４がインタリーブ・テーブル選択信号に基づいて選択したインタリーブテーブル２２の内容に従って行なわれる。
【００３８】
ＩＦＦＴ演算器３は、インタリーブされたシンボルデータのＩ軸成分を複素数の実部、Ｑ軸成分を複素数の虚部とみなして、Ｎ個の複素データのＩＦＦＴを行ない、Ｎ個のサブキャリアをＯＦＤＭ変調する。ＩＦＦＴ演算器３の出力はＮ個のサブキャリアの変調波を多重したものとなる。ＩＦＦＴ演算器３の出力は、Ｉ軸成分、Ｑ軸成分の出力が各々、Ｄ／Ａ変換器４、５でＤ／Ａ変換され、ＬＰＦ６、７で帯域が制限され、ＬＰＦ６、７の出力が直交変調器８に送られて、直交変調される。
【００３９】
直交変調器８の出力は、ＢＰＦ９で帯域が制限され、伝送路１０を伝わりＯＦＤＭ受信手段へ送られる。
【００４０】
ＯＦＤＭ受信手段で受信された信号は、ＢＰＦ１１を通り直交復調器１２に入力して、直交検波される。直交復調器１２の出力のＩ、Ｑ成分は、それぞれＡ／Ｄ変換器１３、１４でＡ／Ｄ変換され、ＦＦＴ演算器１５によりＦＦＴが行なわれ、周波数ｆｎｃのサブキャリアで送信されたシンボルデータの各々が、Ｉ軸成分ａ’ｎｃ、Ｑ軸成分ｂ’ｎｃ（１≦ｎｃ≦Ｎ）とするＮ個の並列シンボルデータに分離される。
【００４１】
デインタリーバ２１は、ＦＦＴ演算器１５から出力された並列シンボルデータのｎｃ番目（１≦ｎｃ≦Ｎ）をｎ（１≦ｎ≦Ｎ）番目に並び替え、Ｉ軸成分をａｎ、Ｑ軸成分をｂｎとする並列シンボルデータに変換する。この並び替えは、テーブル選択器２５がデインタリーブ・テーブル選択信号に基づいて選択したデインタリーブテーブル２３の内容に従って行なわれる。
【００４２】
並び替えられたシンボルは、並列直列変換器１６で直列化され、シンボル復調器１７で逐次復調され、受信データとなる。
【００４３】
図２はインタリーバ２０及びデインタリーバ２１の動作を示している。インタリーバ２０は、テーブルデータに従い、並列シンボルデータの内、Ｉ軸成分がａｎ、Ｑ軸成分がｂｎ（１≦ｎ≦Ｎ）であるｎ番目（１≦ｎ≦Ｎ）のシンボルデータ３２を、Ｉ軸成分がａ’ｎｃ、Ｑ軸成分がｂ’ｎｃで表されたｎｃ番目（１≦ｎｃ≦Ｎ）のシンボル３３に並べ替える。このｎｃ番目のシンボルは、サブキャリアｆｎｃの周波数で送信される。つまり、インタリーブしない場合に、Ｉ軸成分がａｎ、Ｑ軸成分がｂｎであるシンボル３２は、ｆｎの周波数のサブキャリアで送信されるが、インタリーブによりｆｎｃの周波数で送信されることになる。
【００４４】
一方、デインタリーバ２１は、Ｉ軸成分がａ’ｎｃ、Ｑ軸成分がｂ’ｎｃ（１≦ｎｃ≦Ｎ）で表された周波数ｆｎｃのシンボル３３を、テーブルデータに従い、Ｉ軸成分がａｎ、Ｑ軸成分がｂｎ（１≦ｎ≦Ｎ）であるｎ番目（１≦ｎ≦Ｎ）のシンボル３２に並べ替える。
【００４５】
このように、シンボルの並び替えと並び替えたシンボルを元に戻す動作とを内容とするインタリーブテーブル及びデインタリーブテーブルの組を複数個準備して、その組を選択することにより、複数の方法で並び替えを行なった上でデータを伝送することが可能となる。
【００４６】
この選択を適宜切り替えることにより、ある周波数のサブキャリアで送信されるデータは、時間軸上で周期的な配置を取らなくなり、周波数軸上で周期的なフェージングが発生している伝送路でデータを送信するときでも、送信データの周期的な欠損を無くすことが可能となる。
【００４７】
（第２の実施形態）
第２の実施形態のＯＦＤＭ伝送装置は、インタリーブテーブルの選択情報をサブキャリアで受信側に送信する。
【００４８】
この装置は、図３に示すように、ＯＦＤＭ送信手段が、テーブル選択データ２６を符号化する選択情報シンボル符号化器２７を備えており、また、ＯＦＤＭ受信手段が、テーブルの選択情報が伝送される特定のサブキャリアのシンボルデータを分離する選択情報シンボル分離器２９と、そのシンボルデータを復調する選択情報シンボル復調器２８とを備えている。その他の構成は第１の実施形態（図１）と変わりがない。
【００４９】
インタリーブテーブルの選択情報は、次の方法で、特定のサブキャリアにより送信される。
【００５０】
ＯＦＤＭ送信手段に入力した送信データは、シンボル符号化器１でＰＳＫ、ＱＡＭ等の符号点に変換されてＩ軸、Ｑ軸双方のシンボルデータが生成され、直列並列変換器２でＯＦＤＭのサブキャリア数（Ｎ）からＬを引いたＮ−Ｌ個の並列シンボルデータに変換され、Ｉ軸成分がａｎ、Ｑ軸成分がｂｎ（１≦ｎ≦Ｎ−Ｌ）の並列シンボルデータとしてインタリーバ２０に入力する。テーブル選択データ２６も、選択情報シンボル符号化器２７で、送信データと同様にシンボル化され、Ｉ軸成分がｃｎ、Ｑ軸成分がｄｎ（１≦ｎ≦Ｌ）のＬ個の並列シンボルデータとして、インタリーバ２０に入力する。
【００５１】
インタリーバ２０は、テーブル選択情報については受信側が既知のサブキャリアを割り当て、また、送信データについては、選択されたインタリーブテーブルに基づいて送信するサブキャリアを割り当てる。
【００５２】
それらのデータはＩＦＦＴ演算部３でＩＦＦＴされ、それ以降は第１の実施形態とまったく同様の動作で送信信号が作られる。
【００５３】
一方、ＯＦＤＭ受信手段では、ＦＦＴ演算器１５までは第１の実施形態と同じ動作が行なわれる。
【００５４】
選択情報シンボル分離器２９は、ＦＦＴ演算器１５から得られる並列シンボルデータの内、テーブル選択情報の送信に用いられた特定のサブキャリアのシンボルを分離する。選択情報シンボル復調器２８は、分離されたシンボルを復調し、テーブル選択情報を再生する。このテーブル選択情報は、テーブル選択器２５に出力され、テーブル選択器２５は、このテーブル選択情報に基づいて、デインタリーブテーブル２３を選択する。
【００５５】
デインタリーバ２１は、選択されたデインタリーブテーブル２３の内容に従って、テーブル選択情報の送信に用いられた特定のサブキャリア以外のサブキャリアのシンボルを並び替える。デインタリーバ２１以降の動作は、第１の実施形態と同じである。
【００５６】
こうして、特定のサブキャリアでテーブルの選択情報を送信することが可能となる。
【００５７】
（第３の実施形態）
第３の実施形態のＯＦＤＭ伝送装置は、フレームごとにインタリーブ方法を変更する。
【００５８】
この装置では、連続する複数個のシンボルでフレームを構成し、フレーム単位でシンボルを送信する。ＯＦＤＭ方式では、シンボルをフレームで送信する場合、図４（ａ）に示すように、フレームの同期を取るための同期信号を、有効シンボルよりも送信電力が小さいシンボル３４で作成している。この実施形態のＯＦＤＭ伝送装置では、ＯＦＤＭ送信手段が、この同期シンボル３４中にインタリーブ方法の選択情報を含めて送信し、ＯＦＤＭ受信手段が、同期シンボルを識別してインタリーブ方法の選択情報を取得する。
【００５９】
そのため、ＯＦＤＭ送信手段では、同期シンボルの送信期間に、同期信号として判別できる小さい電力値で、図４（ｂ）に示すように、全サブキャリア３５の内の１部のサブキャリア３６を送信し、このサブキャリアでテーブルの選択情報を伝送する。
【００６０】
この装置は、図５に示すように、ＯＦＤＭ受信手段が、同期信号を識別する同期信号判別器３１を備えている。その他の構成は第２の実施形態（図３）と変わりがない。
【００６１】
ＯＦＤＭ送信手段は、同期シンボルの送信時に、送信データのシンボルのＩ軸成分ａｎ、Ｑ軸成分ｂｎ（１≦ｎ≦Ｎ−Ｌ）のすべてを０にするとともに、Ｉ軸成分がｃｎ、Ｑ軸成分がｄｎ（１≦ｎ≦Ｌ）であるテーブル選択情報のシンボルデータに対して、受信手段に既知の周波数をインタリーバ２０で割り当てて同期信号を生成し、送信する。
【００６２】
次に、送信データの有効シンボルの送信時には、１つのシンボルをＮ個のシンボルデータに区分し、Ｉ軸成分がａｎ、Ｑ軸成分がｂｎ（１≦ｎ≦Ｎ）であるｎ番目の並列シンボルデータを、選択したテーブルに従ってインタリーブし、Ｉ軸成分がａｎｃ、Ｑ軸成分がｂｎｃのｎｃ番目（１≦ｎｃ≦Ｎ）の並列シンボルデータに変換して送信する。このとき、Ｌ＝０とし、テーブル選択情報は送信しない。
【００６３】
選択したテーブルには、このフレームにおけるｎとｎｃとの関係が規定されている。
【００６４】
ＯＦＤＭ受信手段の同期信号判別器３１は、この同期信号を判別する。これを受けて、選択情報シンボル分離器２９は、同期シンボル中の有効なサブキャリアのシンボルデータを分離し、選択情報シンボル復調器２８は、分離されたシンボルデータを復調してテーブル選択情報を再生する。このテーブル選択情報はテーブル選択器２５に出力され、同期シンボル受信時にデインタリーブテーブル２３を選択することが許可される。
【００６５】
このように、この装置では、フレーム毎にインタリーブ方法を変更することが可能となる。
【００６６】
（第４の実施形態）
第４の実施形態のＯＦＤＭ伝送装置は、シンボルごとにインタリーブ方法を変更する。
【００６７】
この装置は、図５の構成を備えており、このインタリーブテーブル２２には、同期シンボルに続く各シンボルのインタリーブ方法が順番に規定されている。但し、１フレームに含まれるシンボル数は一定（既定値）であるとする。テーブル選択器２４は、フレーム毎にテーブルを選択し、インタリーバ２０は、選択されたテーブルの内容に従って、シンボルごとに方法を換えてインタリーブを実行する。
【００６８】
また、デインタリーブテーブル２３には、インタリーブテーブル２２に対応して、同期シンボルに続く各シンボルのデインタリーブ方法が順番に規定され、デインタリーバ２１は、テーブル選択器２５で選択されたテーブルの内容に従って、シンボルごとに方法を換えてデインタリーブを実行する。
【００６９】
このように、テーブルにシンボルごとのインタリーブ方法を規定することにより、シンボルごとのインタリーブが可能となる。
【００７０】
（第５の実施形態）
第５の実施形態のＯＦＤＭ伝送装置は、１フレームに含まれるシンボル数が一定でない場合でも、シンボルごとのインタリーブ方法の変更が可能である。
【００７１】
この装置は、図６に示すように、ＯＦＤＭ受信手段が、復調されたデインタリーブデータを保持するテーブル選択情報記憶装置３０を備えている。また、インタリーブテーブル２２及びデインタリーブテーブル２３には、シンボルを対象とするインタリーブの方法またはデインタリーブの方法が規定されている。その他の構成は第３の実施形態（図５）と変わりがない。
【００７２】
この装置では、シンボルを複数のサブキャリアに分散して伝送する場合に、そのサブキャリアの一部を使って、次に送信するシンボルのインタリーブ情報を送信する。受信側は、受信したサブキャリアからインタリーブ情報を抽出してテーブル選択情報記憶装置３０に保持し、これを次に受信したシンボルのデインタリーブに使用する。
【００７３】
この動作を、順を追って説明する。
【００７４】
ＯＦＤＭ送信手段は、同期シンボルの送信時に、Ｉ軸成分がｃｎ、Ｑ軸成分がｄｎ（１≦ｎ≦Ｌ）であるシンボルデータを、受信装置に既知のサブキャリアで送信し、デインタリーブテーブル２３の選択の初期値を送信する。
【００７５】
次の有効シンボルの送信時には、Ｉ軸成分がａｎ、Ｑ軸成分がｂｎ（１≦ｎ≦Ｎ−Ｌ）である送信データのシンボルデータと、次のシンボルのインタリーブの方法を示すＩ軸成分がｃｎ、Ｑ軸成分がｄｎ（１≦ｎ≦Ｌ）のシンボルデータとをインタリーバ１５に入力する。
【００７６】
インタリーバ１５は、１つ前のシンボルで送信しているインタリーブ情報を基に、Ｉ軸成分がａｎ、Ｑ軸成分がｂｎ（１≦ｎ≦Ｎ−Ｌ）である送信データのシンボルデータと、Ｉ軸成分がｃｎ、Ｑ軸成分がｄｎ（１≦ｎ≦Ｌ）であるインタリーブ方法を示すシンボルデータとの両方をインタリーブする。
【００７７】
インタリーバ２１以降のＯＦＤＭ送信手段の動作は、第１の実施形態と同じである。
【００７８】
ＯＦＤＭ受信手段では、同期信号判別器３１が同期信号を判別して、選択情報シンボル分離器２９に通知し、選択情報シンボル分離器２９は、同期シンボル中の有効なサブキャリアのシンボルデータを分離し、選択情報シンボル復調器２８は、分離されたシンボルデータを復調してテーブル選択情報を再生する。このテーブル選択情報（デインタリーブテーブル２３の選択情報）は、次のシンボルが送信されるまでテーブル選択情報記憶装置３０で保持される。
【００７９】
次のシンボルが送信されてくると、テーブル選択情報記憶装置３０で保持されたデインタリーブテーブル２３の選択情報はテーブル選択器２５に出力され、テーブル選択器２５は、この選択情報を基に選択したデインタリーブテーブル２３をデインタリーバ２１と選択情報シンボル分離器２９とに出力する。デインタリーバ２１は、選択されたデインタリーブテーブル２３の内容に従って、次のシンボルに関するシンボルデータの並べ換えを行ない、また、選択情報シンボル分離器２９は、選択されたデインタリーブテーブル２３の内容に従って、次に送信されるシンボルのデインタリーブ情報に関するシンボルデータを分離する。分離されたデインタリーブ情報に関するシンボルデータは選択情報シンボル復調器２８に入力し、選択情報シンボル復調器２８は、分離されたシンボルデータを復調してテーブル選択情報を再生し、このテーブル選択情報は、次のシンボルが送信されるまでテーブル選択情報記憶装置３０で保持される。
【００８０】
こうした動作の繰り返しにより、このＯＦＤＭ伝送装置では、シンボルごとのインタリーブ方法の変更が可能となる。
【００８１】
（第６の実施形態）
第６の実施形態のＯＦＤＭ伝送装置は、特定の送信手段と受信手段との間でのみデータを伝送することができる。
【００８２】
この装置は、図１において、ＯＦＤＭ送信手段のインタリーブテーブル２２と、ＯＦＤＭ受信手段のデインタリーブテーブル２３とが、それぞれ、書き換え可能な記憶手段に書き込まれており、これらの記憶手段への書き込みを行なう書き込み手段を併せて具備している。その他の構成は第１の実施形態と変わりがない。
【００８３】
この伝送装置では、ＯＦＤＭ送信手段の記憶手段に書き込まれているインタリーブテーブル２２と、ＯＦＤＭ受信手段の記憶手段に書き込まれているデインタリーブテーブル２３とが一致しない場合には復調動作ができず、それらが一致する特定のＯＦＤＭ送信手段とＯＦＤＭ受信手段との間でのみ、データの送受信が可能となる。
【００８４】
また、この場合、インタリーブテーブル２２及びデインタリーブテーブル２３のテーブルデータは、全部のサブキャリアの中の１部のサブキャリアに対してのみインタリーブを行なうものであってもよい。こうすることにより、送信手段及び受信手段の双方で持たれているテーブルが一致しないときには、送信シンボルの１部の復調動作が、受信側で、できなくなる。
【００８５】
なお、この第６の実施形態の構成は、第１の実施形態だけでなく、図３、５、６に示す第２、第３、第４及び第５の実施形態にも適用することができる。
【００８６】
【発明の効果】
以上の説明から明らかなように、本発明のＯＦＤＭ伝送方法は、フレームごとにインタリーブの方法を切り替えることができる。
【００８７】
また、送信側が、特定の受信機との間だけでデータ伝送を行なうことが可能となる。
【００８８】
また、本発明のＯＦＤＭ伝送装置は、こうしたＯＦＤＭ伝送方法を実施することができる。
【図面の簡単な説明】
【図１】本発明の第１及び第６の実施形態におけるＯＦＤＭ伝送装置の構成を示すブロック図、
【図２】本発明の第１の実施形態におけるＯＦＤＭ伝送方法を説明する図、
【図３】本発明の第２の実施形態におけるＯＦＤＭ伝送装置の構成を示すブロック図、
【図４】本発明の第３の実施形態におけるＯＦＤＭ伝送方法を説明する図、
【図５】本発明の第３及び第４の実施形態におけるＯＦＤＭ伝送装置の構成を示すブロック図、
【図６】本発明の第５の実施形態におけるＯＦＤＭ伝送装置の構成を示すブロック図、
【図７】従来のＯＦＤＭ伝送装置の構成を示すブロック図である。
【符号の説明】
１  シンボル符号化器
２  直列並列変換器
３  ＩＦＦＴ演算器
４  Ｄ／Ａ変換器
５  Ｄ／Ａ変換器
６  ＬＰＦ
７  ＬＰＦ
８  直交変調器
９  ＢＦＰ
１Ｏ  伝送路
１１  ＢＰＦ
１２  直交復調器
１３  Ａ／Ｄ変換器
１４  Ａ／Ｄ変換器
１５  ＦＦＴ演算器
１６  並列直列変換器
１７  シンボル復調器
１８  送信タイミング生成器
１９  受信タイミング生成期
２０  インタリーバ
２１  デインタリーバ
２２  インタリーブテーブル
２３  デインタリーブテーブル
２４  テーブル選択器
２５  テーブル選択器
２６  テーブル選択データ
２７  選択情報シンボル符号化器
２８  選択情報シンボル復調器
２９  選択情報シンボル分離器
３０  テーブル選択情報記憶装置
３１  同期信号判別器
３２  インタリーブ前シンボル
３３  インタリーブ後シンボル
３４  同期シンボル
３５  ＯＦＤＭ全サブキャリア
３６  同期信号中に送信するサブキャリア
【図１】
0003575983.tif 000002
【図２】
0003575983.tif 000003
【図３】
0003575983.tif 000004
【図４】
0003575983.tif 000005
【図５】
0003575983.tif 000006
【図６】
0003575983.tif 000007
【図７】
0003575983.tif 000008